(57)【要約】【課題】照射方向を変更可能な直管形照明装置を提供すること。【解決手段】管軸を中心に光源ユニットを回転させて照射方向を変更可能とする回転式口金を備える直管形照明装置は、ソケットに接続される第１口金部材と、第１口金部材の内部に少なくとも一部が収容される第２口金部材とを備える。第１口金部材は、内周面に少なくとも１つのリブを有し、第２口金部材は、外周に形成された少なくとも２つの山部を、管軸を含む所定の面に対して片側に有し、山部によってリブが係止されることにより、第１口金部材と第２口金部材との間の相対回転の範囲が規定される。【選択図】図１
2019165030.tif 000002
【特許請求の範囲】
【請求項１】
管軸を中心に光源ユニットを回転させて照射方向を変更可能とする回転式口金を備える直管形照明装置であって、
前記回転式口金は、
前記直管形照明装置が取り付けられるソケットに接続される第１口金部材と、前記第１口金部材の内部に少なくとも一部が収容される第２口金部材と、を備え、
前記第１口金部材は、内周面に少なくとも１つのリブを有し、
前記第２口金部材は、外周に形成された少なくとも２つの山部を、管軸外側方向からみて前記管軸を含む所定の面で分けた場合の片側に有し、
前記山部によって前記リブが係止されることにより、前記第１口金部材と前記第２口金部材との間の相対回転の範囲が規定される直管形照明装置。
【請求項２】
前記リブは、前記２つの山部が位置する側とは異なる側に配置される、
ことを特徴とする請求項１に記載の直管形照明装置。
【請求項３】
管軸を中心に光源ユニットを回転させて照射方向を変更可能とする回転式口金を備える直管形照明装置であって、
前記回転式口金は、
前記直管形照明装置が取り付けられるソケットに接続される第１口金部材と、前記第１口金部材の内部に少なくとも一部が収容される第２口金部材と、を備え、
前記第１口金部材は、第１リブと、管軸方向における管内側の端部が、前記第１リブの端部よりも管外側に位置する第２リブとを有し、
前記第２口金部材は、外周に複数の第１山部と、前記第１山部より短く形成された複数の第２山部とを有し、
前記第１山部は、前記第２口金部材の長軸方向に直交する面上において半円内に設けられ、
前記第１リブは、前記第２口金部材が前記第１口金部材に収容される際に、前記１山部が設けられた半円とは異なる半円側にある、
ことを特徴とする直管形照明装置。
【請求項４】
前記第２口金部材は、前記第１口金部材に弾性部材により管軸方向に伸長可能に取り付けられており、最も伸長した状態において、前記第１口金部材の前記第２口金部材に対する回転を所定の角度範囲内に規制するように、前記第１リブと前記第１山部が係止するように構成されている、
ことを特徴とする請求項３に記載の直管形照明装置。
【請求項５】
前記第２口金部材は、前記第１口金部材に弾性部材により管軸方向に伸長可能に取り付けられており、最も伸長した状態において、前記第１リブは、前記第２山部を越える、
ことを特徴とする請求項３に記載の直管形照明装置。
【発明の詳細な説明】
【技術分野】
【０００１】
本発明は、直管形照明装置であって、特に、光源ユニットを回転させて照射方向を変更可能な直管形照明装置に関する。
【背景技術】
【０００２】
近年、省電力・長寿命のＬＥＤ素子を光源に用いた照明装置の使用が広まっている。また、蛍光灯用の灯具にそのまま使用可能な、ＬＥＤ素子の直管形照明装置の普及が進んでいる。例えば、光源ユニットを回転させて照射方向を変更可能な直管形照明装置が既に知られている（例えば、特許文献１参照）。
【先行技術文献】
【特許文献】
【０００３】
【特許文献１】特開２０１４−７０９１号公報
【発明の概要】
【発明が解決しようとする課題】
【０００４】
特許文献１に記載の直管形照明装置は、光源ユニットの回転角度が例えば約９０度となっている。しかしながら、回転の範囲をより大きくして、直管形照明装置を様々な状況で使用できるようにするのが好ましい。
【０００５】
本発明は、上述のような課題を解決するために、より回転角度の大きい照明装置を提供することを目的とする。
【課題を解決するための手段】
【０００６】
上記目的の達成のため、本発明に係る、管軸を中心に光源ユニットを回転させて照射方向を変更可能とする回転式口金を備える直管形照明装置は、直管形照明装置が取り付けられるソケットに接続される第１口金部材と、第１口金部材の内部に少なくとも一部が収容される第２口金部材と、を備え、第１口金部材は、内周面に少なくとも１つのリブを有し、第２口金部材は、外周に形成された少なくとも２つの山部を、管軸外側方向からみて管軸を含む所定の面で分けた場合の片側に有し、山部によってリブが係止されることにより、第１口金部材と第２口金部材との間の相対回転の範囲が規定されるものである。
【発明の効果】
【０００７】
本発明によれば、山部とリブとを、管軸を含む所定の面に対してそれぞれ異なる側に設け、山部によってリブが係止されて第１口金部材と第２口金部材との間の相対回転の範囲が規定されることにより、より回転角度の大きい照明装置を提供することができる。
【図面の簡単な説明】
【０００８】
【図１】本発明の一実施形態に係る直管形照明装置の斜視図である。
【図２】本発明の一実施形態に係る回転式口金の組立図である。
【図３】本発明の一実施形態に係る回転式口金の組立図である。
【図４】本発明の一実施形態に係る回転式口金の断面図である。
【図５】本発明の一実施形態に係る回転式口金の内部構造を示す部分断面図である。
【図６】本発明の一実施形態に係る回転式口金の横断面図である。
【図７】本発明の一実施形態に係る第２口金部材の他の例を示し、（ａ）及び（ｂ）は俯瞰する角度を変えた斜視図、（ｃ）は正面図である。
【発明を実施するための形態】
【０００９】
以下に、本発明の一実施形態について図面を参照して説明する。
【００１０】
図１は、本発明の一実施形態に係る直管形照明装置の斜視図である。図に示すように、直管形照明装置１は、外部電源と電気的に接続される回転式口金３０、図示しない発光素子基板を覆い発光素子からの照明光を透過する透光性カバー２、図示しない電源回路基板を覆う遮光性カバー３、発光素子基板と回転式口金３０とを接続する接続部４とを備える。詳細は後述するが、直管形照明装置１は、発光素子や電源回路基板等からなる光源ユニットに接続部４を介して接続された回転式口金３０によって、光源ユニットを管軸を中心に回転させて照射方向を変更可能な照明装置である。
【００１１】
次に、回転式口金３０について説明する。図２は、回転式口金３０の組立図である。図に示すように、回転式口金３０は、第１口金部材１０と第２口金部材２０とを備える。なお、説明のため回転式口金３０のみを示してあるが、実際に直管形照明装置１を組み立てる際には、発光素子や電源回路基板等を含む光源ユニットに接続部４を介して第２口金部材２０を接続した後に、第１口金部材１０を第２口金部材２０に装着する。
【００１２】
第１口金部材１０は、灯具のソケットに接続される端子１２が設けられている。また、第１口金部材１０は、円筒状の軸部を一体に有する貫通孔１３を有する。第１口金部材１０は、貫通孔１３に挿入した弾性部材（例えば、コイルばね）１４を介して、止めネジ１５により第２口金部材２０に装着される。さらに、第１口金部材１０は、光源ユニットと回転式口金３０の相対角度が分かるように、目印１１を透光性カバー側に等間隔で複数設けている。
【００１３】
第２口金部材２０は、外周２１に複数の山部が形成されている。これら山部は、長手方向の山の長さが他の山部よりも長い第１山部２２を２つ含む。第１山部２２は、第２口金部材２０を接続部４に接続するためのネジ２５を挿入するネジ穴２５ａに隣接して設けられる。ここで、２つの第１山部２２は、回転式口金３０の径方向の断面を線対称とする線に直交する線と管軸線とを含む面（管軸外側方向からみて管軸を含む所定の面）にて、直管形照明装置１を分断した場合の片側に位置する。ここで、２つの第１山部２２が位置する側は、直管形照明装置１の照射側、すなわち透光性カバー側となる。また、第２口金部材２０は、第１山部２２よりも長さの短い第２山部２１ａ、２１ｂを複数有する。ここで、第２山部２１ａ、２１ｂの長さは同一である。第２山部２１ａは、カバー境界面に対して第１山部２２が位置する側に位置し、第２山部２１ｂは、第１山部２２が位置しない側に設けられている。これら第１山部２２、第２山部２１ａ、２１ｂは、管軸を含みカバー境界面と直交する面に対して線対称となるように設けられる。
【００１４】
また、第２口金部材２０は、貫通孔２４の光源ユニット側から、貫通孔２４の長さより長い段付きピン２３が挿入される。段付きピン２３は、大径部、中径部、小径部を有する。段付きピン２３の外径は、第１口金部材１０の貫通孔１３より挿入されるコイルばね１４の内径より小さく、段付きピン２３の内径は、止めネジ１５に対応している。第１口金部材１０を第２口金部材２０に装着する際には、第１口金部材１０の貫通孔１３の光源ユニット側から段付きピン２３の先端を挿入し、第２口金部材２０の貫通孔２４に第１口金部材１０の貫通孔１３の円筒状の先端を挿入して組み合わせる。そして、コイルばね１４を介して止めネジ１５にて第１口金部材１０と第２口金部材２０とを連結する。このとき、第２口金部材２０は、第１口金部材１０の内部に少なくとも一部が収容される。このように、回転式口金３０は、コイルばね１４を介して第１口金部材１０を第２口金部材２０に連結して構成するため、第１口金部材１０を管軸方向の管外側に伸長するような力を加えることによって、第１口金部材１０の位置を管外側に直動することができる。
【００１５】
図３は、回転式口金３０を光源ユニット側からみた組立図である。図に示すように、第１口金部材１０は、内周面１６に第２リブ１６ａを有する。詳細は後述するが、第１口金部材１０は、内周面１６に少なくとも１つのリブを有し、第１口金部材１０のリブが、第２口金部材２０の第１山部２２によって係止されることにより、第１口金部材１０と第２口金部材２０との間の相対回転の範囲が規定される。第２口金部材２０は、電源コード等を通すための貫通孔２７を、光源ユニットの電源回路基板側に有する。また、貫通孔２４には、段付きピン２３が挿入される。
【００１６】
次に、第１口金部材１０の内周面に設けられるリブについて、図を参照して説明する。図４は、回転式口金３０の、管軸と直交する面における斜視断面図である。図４において、回転式口金３０は初期状態の位置にあり、接続部４の基準目印４１と第１口金部材１０
の基準目印１１ａとが対向している。なお、接続部４の基準目印４１は、発光素子基板と直交する面であって管軸を含む面と、接続部４とが交差する位置に設けられている。また、第１口金部材１０は、コイルばね１４によって管軸方向の管内側、すなわち第２口金部材２０に押し付けられた状態であり、伸長されていない。
【００１７】
図４（ａ）は、透光性カバー２側から見た斜視断面図、図４（ｂ）は、遮光性カバー３側から見た斜視断面図である。図４（ａ）に示すように、第１口金部材１０の内周面１６には、第１リブ１６ｂと、図４（ｂ）に示すように、第２リブ１６ａが２つ設けられている。第１リブ１６ｂは、第２口金部材２０の第２山部２１ｂと係合する。また、第２リブ１６ａは、第２口金部材２０の第２山部２１ａと係合する。また、図に示すように、第１リブ１６ｂの長さは、第２リブ１６ａの長さよりも長い。すなわち、第２リブ１６ａの管軸方向における管内側の端部は、第１リブ１６ｂの端部よりも管外側に位置している。また、第１山部２２は、第２口金部材２０の長軸方向に直交する面上において半円内に設けられ、第１リブ１６ｂは、第２口金部材２０が第１口金部材１０に収容される際に、第１山部２２が設けられた半円とは異なる半円側に位置することになる。
【００１８】
図５は、回転式口金３０の部分断面図である。図５は、図４と同様に初期状態の位置での回転式口金３０を示してあるが、図４と異なり、透光性カバー２側が図において上側になるように示してある。図に示すように、第１口金部材１０の第２リブ１６ａは、第２山部２１ａと係合するが、第１口金部材１０を管外側に動かすような力を加えて第１口金部材１０が管軸外側方向に動くことにより、第２リブ１６ａと第２山部２１ａとの係合が外れ、管軸を中心として第１口金部材を回動させることができる。なおこのとき、図示しない第１リブ１６ｂも、第２山部２１ｂと係合しているが、上記のように第１口金部材１０を管外側に動かすことによってその係合を外すことが可能であり、管軸を中心として第１口金部材を回動させることができる。なお、第１口金部材１０の内部には、端子１２と接続された平面端子１８が存在する。
【００１９】
図６は、回転式口金３０が初期状態にある場合の、管軸を通る面で切断した断面図である。なお図６は、遮光性カバー３側から見た図を示す。また、Ｐは管軸を示す。図に示すように、２つの第１山部２２は、管軸Ｐを含む面に対して片側の所定範囲内に位置する。
【００２０】
ここで、回転式口金３０の動作について詳細に説明する。第１口金部材１０は、コイルばね１４によって第２口金部材２０側に付勢されている。この状態では、第２口金部材２０の外周２１に設けられた第１山部２２及び第２山部２１ａ、２１ｂと、第１口金部材１０の内周面１６に設けられた第１リブ１６ｂ及び第２リブ１６ａとが係合する。これにより、第１口金部材１０は、第２口金部材２０に対して管軸Ｐを回転中心とする回動が阻止された状態となっている。なおこのとき、第２山部２１ａと第２リブ１６ａとが係合し、第２山部２１ｂと第１リブ１６ｂとがそれぞれ係合する。第１口金部材１０を回動する場合は、第１口金部材１０を直管形照明装置１の管軸Ｐに沿って管外方向に動かすように力を加えることによって、第２口金部材２０に設けられた第２山部２１ｂと、第１口金部材１０に設けられた第１リブ１６ｂとの係合を外すことができる。これにより、第１口金部材１０は、第２口金部材２０に対して管軸Ｐを回転中心とする回動が許容された状態となっている。この係合が外れた状態で、第１口金部材１０を所望の方向に回動させ、第１口金部材１０に加える管外方向への力を無くすと、コイルばね１４の付勢力によって、第１口金部材１０は管内方向に引っ張られ、第１口金部材１０のリブと第２口金部材２０の山部とが係合し、それ以上の第１口金部材１０の回動が阻止される。なお、図において、コイルばね１４の伸縮状態を示すために、コイルばね１４の間隔を変えて示してある。
【００２１】
なお、第１口金部材１０を第２口金部材２０に対して管軸Ｐに沿って変位させることのできる距離は、第１口金部材１０の貫通孔の小径が、止めネジ１５のフランジ面１５ｆに
当接することで規制される。図６に示すように、第１口金部材１０の貫通孔１３は円筒状の軸部を一体に有する。貫通孔１３は、管内側の開口先端部分が段付きピン２３の小径に対応し、内径がコイルばね１４の外径に対応する。貫通孔１３の管外側は、止めネジ１５の頭部フランジの径に対応する段差部１３ｄを有する。止めネジ１５は、段付きピン２３の小径部に設けられた挿入孔にネジ込むことができる。第１口金部材１０を第２口金部材２０に対して管軸Ｐに沿って変位させることのできる距離は、上述のように止めネジ１５のフランジ面に段差部１３ｄが当接することで規制される。この距離は、第１口金部材１０の第１リブ１６ｂが第２山部２１ｂの高さを越えるが、第１山部２２の高さを越えない距離に設定される。従って、第１口金部材１０が回動できる角度は、第１山部２２で挟まれた範囲となる。
【００２２】
次に、第２口金部材の第一山部の形状を変えた例について説明する。図７（ａ）、（ｂ）は、俯瞰する角度を変えた第２口金部材２０′の斜視図、図７（ｃ）は正面図である。なお、図において、第２口金部材２０と同一の部分には同一の符号を付してある。図７に示すように、第２口金部材２０′は、外周２１に第１山部２２′、第２山部２１ａ、２１ｂが形成されている。なお、説明の便宜上、第２口金部材２０′の形状を分かり易くするため、図７（ｃ）において、第１山部２２′には墨塗りを施してある。上述したネジ穴２５ａの一方側寄りに第１山部２２を配置した第２口金部材２０に対して、この第２口金部材２０′の第１山部２２′は、ネジ穴２５ａの他方側に向かってネジ穴２５ａを取り巻くように円弧状とした補強部２２ａを一体に形成することで幅を持たせた構造になっている。補強部２２ａの一端は第１山部２２′に接続しており、補強部２２ａの他端は、外周２１から突出しない位置にある。また、補強部２２ａは、外周２１の円弧方向とは逆側の管軸Ｐに向かう径方向内側に管軸Ｐと並行な稜線を有するように突出した円弧である。したがって、補強部２２ａは、ネジ穴２５ａに挿入されるネジのガイドとしての機能も持たせつつ、第２口金部材２０の第１山部２２よりも第２口金部材２０′の第１山部２２′の強度を高め、接続部４との接続を堅強にすることが可能となる。さらに、補強部２２ａの他端は、第１口金部材１０の回転角度を減らすことなく、外周２１の壁面から突出する位置の手前まで円弧状に伸ばしている。これにより、補強部２２ａは、第１口金部材１０と第２口金部材２０′とが係合している状態においては第１口金部材１０とは直接係合しない位置にある。一方、補強部２２ａは、第１口金部材１０を第２口金部材２０に対して回動させた際には、補強部２２ａが回動を妨げることがない。また、第１山部２２′は、第２口金部材２２における直線状の第１山部２２と比較して補強部２２ａの分だけ幅を有するとともに補強部２２ａを円弧状としているため、第１リブと係合させる第１山部２２′の全体強度が増し、第１口金部材１０の回動時に、補強部２２ａを含む第１山部２２′が破損したり第１リブとの係合が外れたりすることがない、という利点を有する。
【００２３】
上述の回転式口金３０を装着した直管形照明装置１を、蛍光灯器具のソケット部に装着すると、例えば発光素子がＬＥＤ素子で実現された場合、ＬＥＤ素子の照射指向性から、照明方向は透光性カバー２の側に特定される。また、直付下面開放型の灯具に装着すれば、照明方向は床面側となる。ここで、例えば自動販売機での陳列商品や看板の照明用に上記照明装置を使用した場合、ソケットの位置によっては、所望の方向に照明光を照射できない場合もある。これに対し、本発明の直管形照明装置１においては、両端の第１口金部材１０が第２口金部材２０を介して、光源ユニットに対して回動可能に取り付けられる。従って、上述の自動販売機や看板での照明用に所望の方向での光の照射を得る際には、予め両端の第１口金部材１０を所望な回転角度まで回動させて固定した後にソケットに取り付ければよい。
【００２４】
また、例えば、回転可能なソケット部に回転式口金３０を装着した直管形照明装置１を装着した場合には、当該回転可能なソケット部の回動範囲からさらに広い範囲を直管形照明装置１で照らすことができる。
【００２５】
ここで、上述した実施の形態のように、第２口金部材２０に設けた第１山部２２を、管軸を含む面に対して片側に位置するように設け、第１山部２２によって回動が規制される第１リブを、第１山部２２が位置する側と異なる側に設けることで、第１口金部材１０の回動範囲を、約１８０度とすることができる。従って、従来よりも汎用性の高い直管形照明装置を提供することができる。
【００２６】
本発明の直管形照明装置１は、上記の実施の形態に限定されるものでなく、特許請求の範囲に記載した技術的範囲には、発明の要旨を逸脱しない範囲内で種々、設計変更した形態が含まれることに留意されたい。例えば、上述では、直管形照明装置の口金をＧ１３タイプで説明したが、本発明はこれに限定されるのではない。例えば、「Ｒ１７ｄ」、「ＲＸ１７ｄ」、及び「ＧＸ１６ｔ−５」の口金でもよい。
【符号の説明】
【００２７】
１  直管形照明装置
２  透光性カバー
３  遮光性カバー
４  接続部
１０  第１口金部材
２０、２０′  第２口金部材
３０  回転式口金
４１  基準目印
１１  目印
１１ａ  基準目印
１２  端子
１３  貫通孔
１３ｄ  段差部
１４  コイルばね
１５  止めネジ
１５ｆ  フランジ面
２１  外周
２１ａ、２１ｂ  第２山部
２２、２２′  第１山部
２２ａ  補強部
２３  段付きピン
２４  貫通孔
２５  ネジ
２５ａ  ネジ穴
２７  貫通孔
１６  内周面
１６ｂ  第１リブ
１６ａ  第２リブ
１８  平面端子
Ｐ  管軸
【図１】
2019165030.tif 000003
【図２】
2019165030.tif 000004
【図３】
2019165030.tif 000005
【図４】
2019165030.tif 000006
【図５】
2019165030.tif 000007
【図６】
2019165030.tif 000008
【図７】
2019165030.tif 000009
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
管軸を中心に光源ユニットを回転させて照射方向を変更可能とする回転式口金を備える直管形照明装置であって、
前記回転式口金は、
前記直管形照明装置が取り付けられるソケットに接続される第１口金部材と、前記第１口金部材の内部に少なくとも一部が収容される第２口金部材と、を備え、
前記第１口金部材は、内周面に少なくとも１つのリブを有し、
前記第２口金部材は、外周に形成された少なくとも２つの山部を、管軸外側方向からみて前記管軸を含む所定の面に有し、
前記山部によって前記リブが係止されることにより、前記第１口金部材と前記第２口金部材との間の相対回転の範囲が規定され、
前記第１口金部材は貫通孔を有し、前記第２口金部材は前記貫通孔に挿入されるピンを有しており、
前記ピンが前記貫通孔に挿入された状態で前記第１口金部材を管軸外側方向に変位させることにより前記山部と前記リブとの係合が解除されることを特徴とする直管形照明装置。
【請求項２】
請求項１に記載の直管形照明装置であって、
前記ピンはねじが挿入可能な孔を有し、
前記ねじはフランジ部を有し、
前記軸部は内側に前記フランジ部が当接する当接部を有し、
前記当接部に前記フランジ部が当接することで、前記第１口金部材を管軸外側方向に変位可能な距離を規制することを特徴とする直管形照明装置。